(57)【特許請求の範囲】
【請求項１】
自己が収容している第１の通信装置と、リング状伝送路を終端している集中局に設けられている第２の通信装置との光通信に介在し、上記リング状伝送路への上り光信号のアド、上記リング状伝送路からの下り光信号のドロップ、到来した光信号の通過のいずれかを行う、上記リング状伝送路に複数配設された中の一つのノードにおいて、
上記リング状伝送路を反時計回りに伝搬する第１の波長を有する光信号が入力される第１の入出力ポートと、
上記リング状伝送路を時計回りに伝搬する第２の波長を有する光信号が入力される第２の入出力ポートと、
自己が収容している第１の通信装置側との間で光信号を授受する第３の入出力ポートと、
当該ノードに割り当てられた第１の符号で符号化された第１の波長を有する光信号を復号する第１のＦＢＧ光復号器と、当該ノードに割り当てられた第２の符号で符号化された第２の波長を有する光信号を復号する第２のＦＢＧ光復号器とを縦続接続した復号器群と、
第１の波長を有する光信号を上記第１の符号で符号化する第１のＦＢＧ光符号器と、第２の波長を有する光信号を上記第２の符号で符号化する第２のＦＢＧ光符号器とを縦続接続した符号器群と、
上記復号器群から上記符号器群への光信号の進行を許容し、逆方向の光信号の進行を阻止する光アイソレータと、
ＰＬ１ポート、ＰＲ１ポート、ＰＬ２ポート及びＰＲ２ポートを有し、ＰＬ１ポートに第１の波長を有する光信号が入力されたときＰＲ１ポートに出力し、ＰＬ１ポートに第２の波長を有する光信号が入力されたときＰＲ２ポートに出力し、ＰＬ２ポートに第１の波長を有する光信号が入力されたときＰＲ１ポートに出力し、ＰＬ２ポートに第２の波長を有する光信号が入力されたときＰＲ２ポートに出力し、ＰＲ１ポートに第１の波長を有する光信号が入力されたときＰＬ１ポートに出力し、ＰＲ１ポートに第２の波長を有する光信号が入力されたときＰＬ２ポートに出力し、ＰＲ２ポートに第１の波長を有する光信号が入力されたときＰＬ１ポートに出力し、ＰＲ２ポートに第２の波長を有する光信号が入力されたときＰＬ２ポートに出力するものであって、ＰＬ２ポートが上記第１の入出力ポートに接続されている第１のルータと、
ＰＬ１ポート、ＰＲ１ポート、ＰＬ２ポート及びＰＲ２ポートを有し、ＰＬ１ポートに第１の波長を有する光信号が入力されたときＰＲ１ポートに出力し、ＰＬ１ポートに第２の波長を有する光信号が入力されたときＰＲ２ポートに出力し、ＰＬ２ポートに第１の波長を有する光信号が入力されたときＰＲ１ポートに出力し、ＰＬ２ポートに第２の波長を有する光信号が入力されたときＰＲ２ポートに出力し、ＰＲ１ポートに第１の波長を有する光信号が入力されたときＰＬ１ポートに出力し、ＰＲ１ポートに第２の波長を有する光信号が入力されたときＰＬ２ポートに出力し、ＰＲ２ポートに第１の波長を有する光信号が入力されたときＰＬ１ポートに出力し、ＰＲ２ポートに第２の波長を有する光信号が入力されたときＰＬ２ポートに出力するものであって、ＰＲ２ポートが上記第２の入出力ポートに接続され、ＰＲ１ポートが第１のルータのＰＲ１ポートに接続され、ＰＬ１ポートが第１のルータのＰＬ１ポートに接続されている第２のルータと、
それぞれ複数のポートを有する第１〜第３のサーキュレータとを備え、
上記第１のサーキュレータは、上記第１のルータのＰＲ２ポートから入力された光信号を上記復号器群に与え、上記復号器群から入力された光信号を上記第３のサーキュレータに与え、
上記第２のサーキュレータは、上記第３のサーキュレータから入力された光信号を上記符号器群に与え、上記符号器群から入力された光信号を上記第２のルータのＰＬ２ポートに与え、
上記第３のサーキュレータは、上記第１のサーキュレータから入力された光信号を上記第３の入出力ポートに与え、上記第３の入出力ポートから入力された光信号を上記第２のサーキュレータに与える
ことを特徴とするノード。
【請求項２】
集中局が終端するリング状伝送路に、請求項１に記載のノードを複数配設したことを特徴とする光ネットワーク。
【請求項３】
上記集中局は、第１の通信装置及び第２の通信装置の通信に供する上り光信号及び下り光信号の波長を決定すると共に、下り光信号を利用して、上記第１の通信装置に対し、決定した波長を通知する通信波長決定部を有することを特徴とする請求項２に記載の光ネットワーク。
【請求項４】
上記通信波長決定部は、平常時の通信波長として、
上記集中局から反時計回りに境界点に至る上記リング状伝送路の部分に介在されているノードに収容されている第１の通信装置について、上り光信号の波長を第１の波長に決定すると共に、下り光信号の波長を第２の波長に決定し、
上記集中局から時計回りに境界点に至る上記リング状伝送路の部分に介在されているノードに収容されている第１の通信装置について、上り光信号の波長を第２の波長に決定すると共に、下り光信号の波長を第１の波長に決定する
ことを特徴とする請求項３に記載の光ネットワーク。
【請求項５】
上記通信波長決定部は、通信状況に応じて、上記境界点の位置を切り替えることを特徴とする請求項４に記載の光ネットワーク。
【請求項６】
上記通信波長決定部は、
平常時の通信波長として、全ての上り光信号及び下り光信号共に第１又は第２の波長に決定し、
下り光信号のベースとなる、決定された波長を有する光信号を発生する発生部が故障した場合に、全ての上り光信号及び下り光信号の通信波長として、他方の波長に切り替える
ことを特徴とする請求項３に記載の光ネットワーク。
【発明の詳細な説明】
【技術分野】
【０００１】
本発明は光ネットワーク及びノードに関し、例えば、広域加入者向け光アクセスネットワークに適用し得るものである。
【背景技術】
【０００２】
今後、ネットワークの大容量化が促進されると、ユーザからの多種多様なサービス要求を受けるアクセスネットワークでは、トラフィック需要が時間及び空間的に偏在する。そこで、今後は、アクセスネットワークにおいても、高効率なネットワーク制御を行うための新たなネットワークアーキテクチャが必要である。最適な通信容量の提供を可能とするネットワークアーキテクチャとして、現在、アクセスネットワークとメトロネットワークを統合したシステムが検討されている。非特許文献１に示されているのは、メトロネットワークで使用されているＲＯＡＤＭ（Ｒｅｃｏｎｆｉｇｕｒａｔｉｏｎ  Ｏｐｔｉｃａｌ  Ａｄｄ／Ｄｒｏｐ  Ｍｕｌｔｉｐｌｅｘｅｒ；再構築可能なアッド／ドロップマルチプレクサ）であるが、小規模にすればフレキシブルなリング状のアクセスネットワークが構成可能である。非特許文献２に示されているのは、ＲＯＡＤＭと、ＷＤＭ（Ｗａｖｅｌｅｎｇｔｈ  Ｄｉｖｉｓｉｏｎ  Ｍｕｌｔｉｐｌｅｘｉｎｇ；波長分割多重方式）フィルタを用いたメトロアクセスを統合した例である。
【先行技術文献】
【特許文献】
【０００３】
【特許文献１】特開２０１０−１７１６８４号公報
【非特許文献】
【０００４】
【非特許文献１】ｈｔｔｐ：／／ｗｗｗ．ｎｅｃ．ｃｏ．ｊｐ／ｓｐｅｃｔｒａｌｗａｖｅ／ｄｗ４２００／”
【非特許文献２】Ｔｈｏｍａｓ  Ｐｆｅｉｆｆｅｒ，“Ｃｏｎｖｅｒｇｅｄ  Ｈｅｔｅｒｏｇｅｎｅｏｕｓ  Ｏｐｔｉｃａｌ  Ｍｅｔｒｏ−Ａｃｃｅｓｓ  Ｎｅｔｗｏｒｋｓ”，ＥＣＯＣ２０１０，Ｔｕ５．Ｂ．１
【発明の概要】
【発明が解決しようとする課題】
【０００５】
しかし、現在のネットワークはメトロネットワークの箇所にアクティブ装置（ＲＯＡＤＭ）が取り付けられているため、消費電力が大きいといった課題がある。消費電力の低減を行うためには、パッシブルーティングによる制御が必要である。パッシブルーティングの方法として光波長多重や光符号多重技術をハイブリッドで用いる方法がある。しかし、光受動品としてＦＢＧ（Ｆｉｂｅｒ  Ｂｒａｇｇ  Ｇｒａｔｉｎｇ；ファイバブラッグ回折格子）タイプの光符号復号器を用いた場合、特許文献１に示されるように、反射信号にのみ光符号信号や光復号信号が出力されるため、リング接続やカスケード接続においてアドドロップ（Ａｄｄ／Ｄｒｏｐ）を実現するためには、光受動品を複雑な構成にする必要があった。一方、簡易な構成の光受動品の多くは、パッシブルーティングに対応できず、ノード間に障害が発生したときに、通信を復旧することができない。
【０００６】
本発明は、以上の点に鑑みなされたものであり、リング接続及びカスケード接続に容易に対応できる簡単かつ低消費電力のノードや、そのようなノードを有する、障害発生時に通信復旧を容易に行うことができる光ネットワークを提供しようとしたものである。
【課題を解決するための手段】
【０００７】
第１の本発明は、自己が収容している第１の通信装置と、リング状伝送路を終端している集中局に設けられている第２の通信装置との光通信に介在し、上記リング状伝送路への上り光信号のアド、上記リング状伝送路からの下り光信号のドロップ、到来した光信号の通過のいずれかを行う、上記リング状伝送路に複数配設された中の一つのノードにおいて、（１）上記リング状伝送路を反時計回りに伝搬する第１の波長を有する光信号が入力される第１の入出力ポートと、（２）上記リング状伝送路を時計回りに伝搬する第２の波長を有する光信号が入力される第２の入出力ポートと、（３）自己が収容している第１の通信装置側との間で光信号を授受する第３の入出力ポートと、（４）当該ノードに割り当てられた第１の符号で符号化された第１の波長を有する光信号を復号する第１のＦＢＧ光復号器と、当該ノードに割り当てられた第２の符号で符号化された第２の波長を有する光信号を復号する第２のＦＢＧ光復号器とを縦続接続した復号器群と、（５）第１の波長を有する光信号を上記第１の符号で符号化する第１のＦＢＧ光符号器と、第２の波長を有する光信号を上記第２の符号で符号化する第２のＦＢＧ光符号器とを縦続接続した符号器群と、（６）上記復号器群から上記符号器群への光信号の進行を許容し、逆方向の光信号の進行を阻止する光アイソレータと、（７）ＰＬ１ポート、ＰＲ１ポート、ＰＬ２ポート及びＰＲ２ポートを有し、ＰＬ１ポートに第１の波長を有する光信号が入力されたときＰＲ１ポートに出力し、ＰＬ１ポートに第２の波長を有する光信号が入力されたときＰＲ２ポートに出力し、ＰＬ２ポートに第１の波長を有する光信号が入力されたときＰＲ１ポートに出力し、ＰＬ２ポートに第２の波長を有する光信号が入力されたときＰＲ２ポートに出力し、ＰＲ１ポートに第１の波長を有する光信号が入力されたときＰＬ１ポートに出力し、ＰＲ１ポートに第２の波長を有する光信号が入力されたときＰＬ２ポートに出力し、ＰＲ２ポートに第１の波長を有する光信号が入力されたときＰＬ１ポートに出力し、ＰＲ２ポートに第２の波長を有する光信号が入力されたときＰＬ２ポートに出力するものであって、ＰＬ２ポートが上記第１の入出力ポートに接続されている第１のルータと、（８）ＰＬ１ポート、ＰＲ１ポート、ＰＬ２ポート及びＰＲ２ポートを有し、ＰＬ１ポートに第１の波長を有する光信号が入力されたときＰＲ１ポートに出力し、ＰＬ１ポートに第２の波長を有する光信号が入力されたときＰＲ２ポートに出力し、ＰＬ２ポートに第１の波長を有する光信号が入力されたときＰＲ１ポートに出力し、ＰＬ２ポートに第２の波長を有する光信号が入力されたときＰＲ２ポートに出力し、ＰＲ１ポートに第１の波長を有する光信号が入力されたときＰＬ１ポートに出力し、ＰＲ１ポートに第２の波長を有する光信号が入力されたときＰＬ２ポートに出力し、ＰＲ２ポートに第１の波長を有する光信号が入力されたときＰＬ１ポートに出力し、ＰＲ２ポートに第２の波長を有する光信号が入力されたときＰＬ２ポートに出力するものであって、ＰＲ２ポートが上記第２の入出力ポートに接続され、ＰＲ１ポートが第１のルータのＰＲ１ポートに接続され、ＰＬ１ポートが第１のルータのＰＬ１ポートに接続されている第２のルータと、（９）それぞれ複数のポートを有する第１〜第３のサーキュレータとを備え、（１０）上記第１のサーキュレータは、上記第１のルータのＰＲ２ポートから入力された光信号を上記復号器群に与え、上記復号器群から入力された光信号を上記第３のサーキュレータに与え、（１１）上記第２のサーキュレータは、上記第３のサーキュレータから入力された光信号を上記符号器群に与え、上記符号器群から入力された光信号を上記第２のルータのＰＬ２ポートに与え、（１２）上記第３のサーキュレータは、上記第１のサーキュレータから入力された光信号を上記第３の入出力ポートに与え、上記第３の入出力ポートから入力された光信号を上記第２のサーキュレータに与えることを特徴とする。
【０００８】
第２の本発明の光ネットワークは、集中局が終端するリング状伝送路に、第１の本発明のノードを複数配設したことを特徴とする。
【発明の効果】
【０００９】
本発明によれば、リング接続及びカスケード接続に容易に対応できる簡単かつ低消費電力のノードを提供できる。また本発明によれば、そのようなノードを適用し、障害発生時に通信復旧を容易に行うことができる光ネットワークを提供できる。
【図面の簡単な説明】
【００１０】
【図１】実施形態の光ネットワークの全体構成を示すブロック図である。
【図２】実施形態の光ネットワークにおけるリング接続の説明図である。
【図３】実施形態の光ネットワークにおけるカスケード接続の説明図である。
【図４】実施形態の光ネットワークにおけるＯＨＦノードの詳細構成を示すブロック図である。
【図５】実施形態の光ネットワークにおけるＯＨＦノード内のルータのルーティングの説明図である。
【図６】実施形態の光ネットワークにおける集中局の詳細構成を示すブロック図である。
【図７】実施形態の光ネットワークにおけるルート制御部内のエンコーダの内部構成を示すブロック図である。
【図８】実施形態の光ネットワークにおけるルート制御部内のデコーダの内部構成を示すブロック図である。
【図９】実施形態の光ネットワークにおけるＯＮＵと対をなしている信号変換器の詳細構成を示すブロック図である。
【図１０】実施形態の光ネットワーク全体の平常時の通信動作を示す説明図である。
【図１１】実施形態の光ネットワークにおけるＯＨＦノードの動作パターンを整理して示す説明図である。
【図１２】図１１の第１の動作パターンにおけるＯＨＦノード内の光信号の流れを示すブロック図である。
【図１３】図１１の第２の動作パターンにおけるＯＨＦノード内の光信号の流れを示すブロック図である。
【図１４】図１１の第３の動作パターンにおけるＯＨＦノード内の光信号の流れを示すブロック図である。
【図１５】図１１の第４の動作パターンにおけるＯＨＦノード内の光信号の流れを示すブロック図である。
【図１６】図１１の第５の動作パターンにおけるＯＨＦノード内の光信号の流れを示すブロック図である。
【図１７】図１１の第６の動作パターンにおけるＯＨＦノード内の光信号の流れを示すブロック図である。
【図１８】図１１の第７の動作パターンにおけるＯＨＦノード内の光信号の流れを示すブロック図である。
【図１９】図１１の第８の動作パターンにおけるＯＨＦノード内の光信号の流れを示すブロック図である。
【図２０】実施形態の光ネットワークにおける集中局内の光信号の流れを示すブロック図である。
【図２１】実施形態の光ネットワークにおけるルート制御部のエンコーダ内の光信号の流れを示すブロック図である。
【図２２】実施形態の光ネットワークにおけるルート制御部のデコーダ内の光信号の流れを示すブロック図である。
【図２３】実施形態の光ネットワークにおけるＯＮＵと対をなしている信号変換器内の光信号の流れを示すブロック図である。
【図２４】実施形態の光ネットワークにおける隣接ＯＨＦノード間の障害発生時の通信復旧動作の説明図である。
【図２５】実施形態の光ネットワークにおけるルート制御部内のλ１パルス発生器の故障時の通信復旧動作の説明図である。
【図２６】変形実施形態の光ネットワークの説明図である。
【発明を実施するための形態】
【００１１】
（Ａ）主たる実施形態
以下、本発明による光ネットワーク及びノードの一実施形態を、図面を参照しながら説明する。
【００１２】
（Ａ−１）実施形態の構成
（Ａ−１−１）光ネットワークの全体構成
図１は、実施形態の光ネットワーク１の全体構成を示すブロック図である。
【００１３】
図１において、実施形態の光ネットワーク１は、メトロネットワーク２と、複数（図１ではＮ個）のアクセスネットワーク３−１〜３−Ｎを統合しているネットワークである。
【００１４】
メトロネットワーク２は、集中局４のルート制御部６と、アクセスネットワーク３−１〜３−Ｎの数と同数の光ハイブリッドフィルタ（Ｏｐｔｉｃａｌ  Ｈｙｂｒｉｄ  Ｆｉｌｔｅｒ；以下、ＯＨＦと呼ぶ）ノード７−１〜７−Ｎとを、光ファイバを介してリング状に接続したリング状ネットワークになっている。
【００１５】
集中局４は、アクセスネットワーク３−１〜３−Ｎの数と同数のＯＬＴ（Ｏｐｔｉｃａｌ  Ｌｉｎｅ  Ｔｅｒｍｉｎａｌ；光加入者線局側装置）５−１〜５−Ｎと上述したルート制御部６を有する。ＯＬＴ５−１〜５−Ｎは、ルート制御部６を介してメトロネットワーク２に接続されている。ルート制御部６は、ＯＬＴ５−１〜５−Ｎを、ＯＬＴ５−１〜５−Ｎに対応するアクセスネットワーク３−１〜３−Ｎ（の配下の後述するＯＮＵ（Ｏｐｔｉｃａｌ  Ｎｅｔｗｏｒｋ  Ｕｎｉｔ；光加入者線加入者側装置））に接続するかを制御するものである。ここで、ＯＬＴ５−ｎ（ｎは１〜Ｎ）は、アクセスネットワーク３−ｎに対応している。
【００１６】
ＯＨＦノード７−ｎは、メトロネットワーク２とアクセスネットワーク３−ｎの双方の構成要素となっており、メトロネットワーク２を巡回している光信号をアクセスネットワーク３−ｎにドロップ（Ｄｒｏｐ）したり、アクセスネットワーク３−ｎからの光信号をメトロネットワーク２にアド（Ａｄｄ）したりするものである。
【００１７】
アクセスネットワーク３−ｎは、ＯＨＦノード７−ｎに加え、光カプラ８−ｎと、複数（図１ではＭ個）のＯＮＵ９−ｎ１〜９−ｎＭと、各ＯＮＵに対応した信号変換器１０−ｎ１〜１０−ｎＭとを有する。なお、アクセスネットワーク３−１〜３−Ｎによって、ＯＮＵの数が異なっていても良い（すなわち、Ｍがアクセスネットワーク３−１〜３−Ｎによって異なる値でも良い；以下では、最多ＯＮＵ数のアクセスネットワークでのＯＮＵ数をＭで表す）。ＯＨＦノード７−ｎとＭ個のＯＮＵ９−ｎ１〜９−ｎＭとは、光カプラ８−ｎを介して１対Ｍ通信構成となっており、ＯＮＵ９−ｎ１〜９−ｎＭの光カプラ８−ｎ側に対応する信号変換器１０−ｎ１〜１０−ｎＭが設けられている。信号変換器１０−ｎ１〜１０−ｎＭは、後述するように、ＮＲＺ（Ｎｏｎ−Ｒｅｔｕｒｎ  ｔｏ  Ｚｅｒｏ）光信号及びＲＺ（Ｒｅｔｕｒｎ  ｔｏ  Ｚｅｒｏ）光信号間の変換を行うものである。ＯＨＦノード７−ｎと光カプラ８−ｎとの間、並びに、信号変換器１０−ｎ１〜１０−ｎと光カプラ８−ｎとの間は、それぞれ、光ファイバによって接続されている（以下、アクセスネットワークでの光ファイバをフィーダ線と呼ぶことがある。
【００１８】
なお、ＯＬＴ５（５−１〜５−Ｎ）とＯＮＵ９（９−１１〜９−ＮＭ）との間には光カプラ以外の構成要素が介在しているが、実施形態の光ネットワーク１は、機能的には、恰もＰＯＮ（Ｐａｓｓｉｖｅ  Ｏｐｔｉｃａｌ  Ｎｅｔｗｏｒｋ）システムと同様な通信が可能となっている。
【００１９】
（Ａ−１−２）リング接続及びカスケード接続
実施形態の光ネットワーク１におけるメトロネットワーク２は、通信可能な接続形態として、リング接続とカスケード接続とを取り得る。以下、ＯＨＦノード７（７−１〜７−Ｎ）における光信号の進行方向の面から、リング接続とカスケード接続について説明する。
【００２０】
ＯＨＦノード７は入出力ポートとして３ポートＰ１〜Ｐ３を有する。以下では、ＯＬＴ５からＯＮＵ９への光信号を下り光信号と呼び、ＯＮＵ９からＯＬＴ５への光信号を上り光信号と呼ぶこととする。集中局４から反時計回りに下り光信号が出るとしたとき、下り光信号が入力されるＯＨＦノード７−ｎの入出力ポートをＰ１とし、入出力ポートＰ１の反対側の入出力ポートをＰ２とし、フィーダ線が接続される入出力ポートをＰ３とする。
【００２１】
リング接続とは、図２に示すように、ＯＬＴ５からの下り光信号を入出力するＯＨＦノード７の入出力ポート対とＯＮＵ９からの上り光信号を入出力するＯＨＦノード７の入出力ポート対とが、進行方向を問題としない場合でも異なる接続形態である。
【００２２】
リング接続においては、ＯＨＦノード７は、下り光信号をメトロネットワーク２からＯＮＵ９側にドロップする（破線矢印ＡＲ１）、ＯＮＵ９側からの上り光信号をメトロネットワーク２にアドする（破線矢印ＡＲ２）、到来した下り光信号若しくは上り光信号を透過する（破線矢印ＡＲ３）、のいずれかの処理を行う。ドロップ時には、ポートＰ１が入力ポート、ポートＰ３が出力ポートとなり、アド時には、ポートＰ３が入力ポート、ポートＰ２が出力ポートとなり、２つの処理で入出力ポート対が異なっている。なお、透過時には、ポートＰ１が入力ポート、ポートＰ２が出力ポートとなる。
【００２３】
実施形態の光ネットワーク１におけるリング状のメトロネットワーク２は、反時計回りの光信号の巡回にも時計回りの光信号の巡回にも応じられるものであるが、リング接続では、これらのうちの一方の巡回（図２は反時計回りの光信号の巡回の場合を示している）を採用しているものとする。
【００２４】
カスケード接続とは、図３で示すように、ＯＬＴ５からの下り光信号を入出力するＯＨＦノード７の入出力ポート対とＯＮＵ９からの上り光信号を入出力するＯＨＦノード７の入出力ポート対とが、進行方向を問題としない場合、同じになる接続形態である。
【００２５】
カスケード接続は、メトロネットワーク２がリング状でなくなった場合の接続形態である。カスケード接続においては、ＯＨＦノード７は、下り光信号をメトロネットワーク２からＯＮＵ９側にドロップする（破線矢印ＡＲ４）、ＯＮＵ９側からの上り光信号をメトロネットワーク２にアドする（破線矢印ＡＲ５）、到来した下り光信号を透過する（図３では破線矢印を省略）、到来した上り光信号を透過する（図３では破線矢印を省略）、のいずれかの処理を行う。なお、リング状でなくなったために、終端に位置することとなったＯＨＦノード７は、ドロップ及びアドの２種類の処理を行う。ドロップ時には、ポートＰ１が入力ポート、ポートＰ３が出力ポートとなり、アド時には、ポートＰ３が入力ポート、ポートＰ１が出力ポートとなり、２つの処理で入出力ポート対が同じになっている。
【００２６】
（Ａ−１−３）ＯＨＦノードの詳細構成
図４は、ＯＨＦノード７（７−１〜７−Ｎ）の詳細構成を示すブロック図である。全てのＯＨＦノード７−１〜７−Ｎは、図４に示す同一の詳細構成を有している。
【００２７】
図４において、ＯＨＦノード７は、３個のサーキュレータ２０〜２２と、波長λ１用のＦＢＧ型光符号器２３と、波長λ２用のＦＢＧ型光符号器２４と、波長λ１用のＦＢＧ型光復号器２５と、波長λ２用のＦＢＧ型光復号器２６と、２つのルータ２７、２８と、光アイソレータ２９とを有する。
【００２８】
ルータ２７及び２８はそれぞれ、４つの入出力ポートＰＬ１、ＰＬ２、ＰＲ１、ＰＲ２を有し、図５に示すようなルーティングを行う。ルータ２７及び２８は、例えば、１の光合分波器、又は、複数の光合分波器の組合せなどによって構成されており、能動部品を含んでいない。
【００２９】
波長λ１の光信号がポートＰＬ１に入力されたときにはポートＰＲ１から出力され、波長λ１の光信号がポートＰＲ１に入力されたときにはポートＰＬ１から出力される。また、波長λ１の光信号がポートＰＬ２に入力されたときにはポートＰＲ２から出力され、波長λ１の光信号がポートＰＲ２に入力されたときにはポートＰＬ２から出力される。
【００３０】
一方、波長λ２の光信号がポートＰＬ１に入力されたときにはポートＰＲ２から出力され、波長λ２の光信号がポートＰＲ１に入力されたときにはポートＰＬ２から出力される。また、波長λ２の光信号がポートＰＬ２に入力されたときにはポートＰＲ１から出力され、波長λ２の光信号がポートＰＲ２に入力されたときにはポートＰＬ１から出力される。
【００３１】
ルータ２７及び２８の内部構成により、光信号が必ずしも内部を直進若しくはたすき掛け進行するわけではないが、イメージ的には、波長λ１の光信号はルータ２７及び２８内部を直進し、波長λ２の光信号はルータ２７及び２８内部をたすき掛け進行する。
【００３２】
サーキュレータ２０〜２２はそれぞれ、３つの入出力ポートを有している。図４に示すように、サーキュレータ２０及び２２は、入力ポートと出力ポートとの関係が時計回りのものであり、サーキュレータ２１は、入力ポートと出力ポートとの関係が反時計回りのものである。
【００３３】
ＯＨＦノード７の上述した入出力ポートＰ１は、ルータ２７のポートＰＬ２に接続されている。ＯＨＦノード７の上述した入出力ポートＰ２は、ルータ２８のポートＰＲ２に接続されている。ＯＨＦノード７の上述した入出力ポートＰ３は、サーキュレータ２１の入出力ポートに接続している。
【００３４】
サーキュレータ２０及び２２間には、サーキュレータ２０側から、波長λ２用のＦＢＧ型光復号器２６、波長λ１用のＦＢＧ型光復号器２５、光アイソレータ２９、波長λ１用のＦＢＧ型光符号器２３及び波長λ２用のＦＢＧ型光符号器２４が縦続接続されている。なお、波長λ２用のＦＢＧ型光復号器２６及び波長λ１用のＦＢＧ型光復号器２５の配置は逆であっても良く、また、波長λ１用のＦＢＧ型光符号器２３及び波長λ２用のＦＢＧ型光符号器２４の配置も逆であっても良い。
【００３５】
ルータ２７のポートＰＲ２は、サーキュレータ２０の入出力ポートに接続されている。サーキュレータ２０は、ルータ２７（のポートＰＲ２）からの光信号を波長λ２用のＦＢＧ型光復号器２６に与え、波長λ２用のＦＢＧ型光復号器２６からの光信号をサーキュレータ２１に与え、サーキュレータ２１からの光信号をルータ２７（のポートＰＲ２）に与えるものである。
【００３６】
ルータ２８のポートＰＬ２は、サーキュレータ２２の入出力ポートに接続されている。サーキュレータ２２は、ルータ２８（のポートＰＬ２）からの光信号をサーキュレータ２０に与え、サーキュレータ２１からの光信号を波長λ２用のＦＢＧ型光符号器２４に与え、波長λ２用のＦＢＧ型光符号器２４からの光信号をルータ２８（のポートＰＬ２）に与えるものである。
【００３７】
サーキュレータ２１は、サーキュレータ２０からの光信号を入出力ポートＰ３に与え、入出力ポートＰ３からの光信号をサーキュレータ２２に与えるものである。
【００３８】
波長λ２用のＦＢＧ型光復号器２６は、サーキュレータ２０からの光信号が、波長がλ２であって当該ＯＨＦノード７に固有な符号で符号化されているときに、復号してサーキュレータ２０側に戻すものであり、上記条件を満たさない光信号を透過させるものである。
【００３９】
波長λ１用のＦＢＧ型光復号器２５は、波長λ２用のＦＢＧ型光復号器２６からの光信号が、波長がλ１であって当該ＯＨＦノード７に固有な符号で符号化されているときに、復号して波長λ２用のＦＢＧ型光復号器２６側に戻すものであり、上記条件を満たさない光信号を透過させるものである。
【００４０】
ここで、当該ＯＨＦノード７がＯＨＦノード７−ｉであれば、波長λ２用のＦＢＧ型光復号器２６は固有符号λ２ｃｏｄｅｉを用いて復号し、当該ＯＨＦノード７がＯＨＦノード７−ｊであれば、波長λ２用のＦＢＧ型光復号器２６は固有符号λ２ｃｏｄｅｊを用いて復号する。同様に、当該ＯＨＦノード７がＯＨＦノード７−ｉであれば、波長λ１用のＦＢＧ型光復号器２５は固有符号λ１ｃｏｄｅｉを用いて復号し、当該ＯＨＦノード７がＯＨＦノード７−ｊであれば、波長λ１用のＦＢＧ型光復号器２６は固有符号λ１ｃｏｄｅｊを用いて復号する。
【００４１】
光アイソレータ２９は、波長λ１用のＦＢＧ型光復号器２５側からの光信号を透過させるが、波長λ１用のＦＢＧ型光符号器２３側からの光信号の透過を阻止するものである。
【００４２】
波長λ２用のＦＢＧ型光符号器２４は、サーキュレータ２２からの光信号が、波長λ２であるときに、符号化してサーキュレータ２２側に戻すものであり、上記条件を満たさない光信号を透過させるものである。
【００４３】
波長λ１用のＦＢＧ型光符号器２３は、波長λ２用のＦＢＧ型光符号器２４からの光信号が、波長λ１であるときに、符号化して波長λ２用のＦＢＧ型光符号器２４側に戻すものであり、上記条件を満たさない光信号を透過させるものである。なお、透過させても、光アイソレータ２９によって破棄される。
【００４４】
ここで、当該ＯＨＦノード７がＯＨＦノード７−ｉであれば、波長λ２用のＦＢＧ型光符号器２４は固有符号λ２ｃｏｄｅｉを用いて符号化し、当該ＯＨＦノード７がＯＨＦノード７−ｊであれば、波長λ２用のＦＢＧ型光符号器２４は固有符号λ２ｃｏｄｅｊを用いて符号化する。同様に、当該ＯＨＦノード７がＯＨＦノード７−ｉであれば、波長λ１用のＦＢＧ型光符号器２３は固有符号λ１ｃｏｄｅｉを用いて符号化し、当該ＯＨＦノード７がＯＨＦノード７−ｊであれば、波長λ１用のＦＢＧ型光符号器２３は固有符号λ１ｃｏｄｅｊを用いて符号化する。
【００４５】
波長λ１用のＦＢＧ型光符号器２３及びＦＢＧ型光復号器２５が適用する固有符号は同一である。また、波長λ２用のＦＢＧ型光符号器２４及びＦＢＧ型光復号器２６が適用する固有符号も同一である。
【００４６】
上述した２つのルータ２７及び２８は、一部のポートが他方のルータのポートに直結されている。すなわち、ルータ２７のポートＰＬ１はルータ２８のポートＰＬ１に接続され、ルータ２７のポートＰＲ１はルータ２８のポートＰＲ１に接続されている。
【００４７】
後述する動作説明から明らかになるように、ＯＨＦノード７が、図４に示す構成を有することにより、光ネットワーク１の接続状態がリング接続、カスケード接続のいずれであっても対応することができる。
【００４８】
（Ａ−１−４）集中局の詳細構成
図６は、集中局４の詳細構成、特に、ルート制御部６の詳細構成を示すブロック図である。
【００４９】
集中局４は、上述したように、アクセスネットワーク数に等しい数のＯＬＴ５−１〜５−Ｎと、ルート制御部６を有する。
【００５０】
ルート制御部６は、ネットワーク状態管理部３０、λ１パルス発生器３１、λ２パルス発生器３２、Ｎ個の波長選択部（λｓｅｌ部）３３−１〜３３−Ｎ、Ｎ個のＮＲＺ／ＲＺ変換部３４−１〜３４−Ｎ、Ｎ個のエンコーダ３５−１〜３５−Ｎ、波長合分波器３６、２個のサーキュレータ３７、３８、光カプラ３９、Ｎ個のデコーダ４０−１〜４０−Ｎ、Ｎ個のＲＺ／ＮＲＺ変換部４１−１〜４１−Ｎを有する。
【００５１】
ネットワーク状態管理部３０は、ＯＬＴ５−１〜５−Ｎからのメトロネットワーク２についての障害情報などを受信し、現在のメトロネットワーク２の状態を監視し、ＯＮＵとの通信に供しているＯＬＴ（１個とは限らない）と、そのＯＮＵとの通信を、リング接続で行うかカスケード接続で行うかを決定するものである。ネットワーク状態管理部３０は、通信に供しているＯＬＴ及びＯＮＵの組が複数ある場合に、全ての組に同じ接続形態を適用するように決定する。決定方法については、後述する動作の説明で明らかにする。ネットワーク状態管理部３０は、決定した内容に応じて、波長選択部３３−１〜３３−Ｎに対して、波長選択制御信号を送信したり、ＯＬＴ５−１〜５−Ｎから、配下のＯＮＵに対応する信号変換器で選択する光パルスの波長を指示する制御信号を送出させたりする。
【００５２】
ＮＲＺ／ＲＺ変換部３４−ｎは、対応するＯＬＴ５−ｎ（の送信部（Ｔｘ））からのＮＲＺ光信号を、対応する波長選択部３３−ｎで選択された波長を有するＲＺ光信号に変換するものである。ここで、対応するＯＬＴ５−ｎからのＮＲＺ光信号の波長は問われないものである。ＮＲＺ／ＲＺ変換部３４−ｎは、全光学処理のものであっても良く、電気信号での処理を利用するものであっても良い。例えば、対応するＯＬＴ５−ｎからのＮＲＺ光信号を電気信号に変換し、電気信号の段階でＲＺ信号に変換し、電気的なＲＺ信号を光信号に変換する際に、対応する波長選択部３３−ｎで選択された波長を有するようにしても良い。
【００５３】
この実施形態の場合、ＯＬＴ５−１〜５−Ｎからの光信号がＮＲＺ信号であったが、ＯＬＴ５−１〜５−Ｎからの光信号がＲＺ信号であっても良く、ＲＺ信号である場合には、ＮＲＺ／ＲＺ変換部に代えて、信号形式を変換せずに波長だけを変換する波長変換部を適用することとなる。
【００５４】
λ１パルス発生器３１及びλ２パルス発生器３２はそれぞれ、波長λ１、λ２を有する短パルス（以下、λ１パルス、λ２パルスと呼ぶ）を発生するものである。
【００５５】
波長選択部（λｓｅｌ部）３３−ｎは、ネットワーク状態管理部３０からの波長選択制御信号に応じて、λ１パルス又はλ２パルスを選択して対応するＮＲＺ／ＲＺ変換部３４−ｎに与えるものである。
【００５６】
エンコーダ３５−ｎは、対応するＮＲＺ／ＲＺ変換部３４−ｎから与えられたＲＺ光信号を符号化するものである。エンコーダ３５−１〜３５−Ｎは同様な構成を有し、適用する符号だけが異なっている。
【００５７】
図７は、代表して、エンコーダ３５−１の内部構成を示すブロック図である。エンコーダ３５−１は、サーキュレータ５０、波長λ２用のＦＢＧ型光符号器５１及び波長λ１用のＦＢＧ型光符号器５２を有する。波長λ２用のＦＢＧ型光符号器５１及び波長λ１用のＦＢＧ型光符号器５２の配置は、図７の逆であっても良い。
【００５８】
サーキュレータ５０は、ＮＲＺ／ＲＺ変換部３４−ｎからの光信号を波長λ２用のＦＢＧ型光符号器５１に与え、波長λ２用のＦＢＧ型光符号器５１側からの符号化された光信号を波長合分波器３６（図６参照）に与えるものである。波長λ２用のＦＢＧ型光符号器５１は、サーキュレータ５０からの光信号の波長がλ１のときに透過し、波長λ２のときに、ＯＨＦノード７−１について定まっている符号λ２ｃｏｄｅ１を用いて符号化してサーキュレータ５０に戻すものである。波長λ１用のＦＢＧ型光符号器５２は、波長λ２用のＦＢＧ型光符号器５１を透過してきた波長λ１の光信号に対し、ＯＨＦノード７−１について定まっている符号λ１ｃｏｄｅ１を用いて符号化してサーキュレータ５０側に戻すものである。波長λ２用のＦＢＧ型光符号器５１及び波長λ１用のＦＢＧ型光符号器５２は、ＯＨＦノード７−１における波長λ２用のＦＢＧ型光復号器（図４の符号２６参照）及び波長λ１用のＦＢＧ型光復号器（図４の符号２５参照）に対応するものである。
【００５９】
図６に戻り、波長合分波器３６は、エンコーダ３５−１〜３５−Ｎからの波長λ１の光信号をサーキュレータ３７に与え、エンコーダ３５−１〜３５−Ｎからの波長λ２の光信号をサーキュレータ３８に与えるものである。
【００６０】
サーキュレータ３７及び３８は、メトロネットワーク２のリング状伝送路を終端する位置に設けられている。サーキュレータ３７は、波長合分波器３６からの波長λ１の光信号をメトロネットワーク２へ反時計回りに巡回するように導入し、メトロネットワーク２からの時計回りに巡回してきたような光信号（この光信号の波長はλ２）を光カプラ３９に与えるものである。サーキュレータ３８は、波長合分波器３６からの波長λ２の光信号をメトロネットワーク２へ時計回りに巡回するように導入し、メトロネットワーク２からの反時計回りに巡回してきたような光信号（この光信号の波長はλ１）を光カプラ３９に与えるものである。
【００６１】
光カプラ３９は、メトロネットワーク２側からのサーキュレータ３７を介した波長λ２の光信号と、メトロネットワーク２側からのサーキュレータ３８を介した波長λ１の光信号とを合波してデコーダ４０−１に与えるものである。
【００６２】
Ｎ個のデコーダ４０−１〜４０−Ｎは、入力された光信号が自己に割当られた符号で符号化されている場合に復号して対応するＲＺ／ＮＲＺ変換部４１−１〜４１−Ｎに与え、入力された光信号が自己に割当られた符号で符号化されていない場合に入力された光信号を次の段のデコーダへ透過させるものである（但し、最終段のデコーダ４０−Ｎは自己に割当られた符号で符号化されていない場合には入力された光信号を終端処理する）。デコーダ４０−１〜４０−Ｎは同様な構成を有し、適用する符号だけが異なっている。
【００６３】
図８は、代表して、デコーダ４０−１の内部構成を示すブロック図である。デコーダ４０−１は、サーキュレータ６０、波長λ１用のＦＢＧ型光復号器６１及び波長λ２用のＦＢＧ型光復号器６２を有する。波長λ１用のＦＢＧ型光復号器６１及び波長λ２用のＦＢＧ型光復号器６２の配置は、図８の逆であっても良い。
【００６４】
サーキュレータ６０は、光カプラ３９からの光信号を波長λ１用のＦＢＧ型光復号器６１に与え、波長λ１用のＦＢＧ型光復号器６１側からの復号された光信号をＲＺ／ＮＲＺ変換部４１−１（図６参照）に与えるものである。波長λ１用のＦＢＧ型光復号器６１は、サーキュレータ６０からの光信号の波長がλ２のときに透過し、波長λ１のときにおいて、ＯＨＦノード７−１について定まっている符号λ１ｃｏｄｅ１で符号化されている場合には復号してサーキュレータ５１に戻し、波長λ１を有していてもＯＨＦノード７−１について定まっている符号λ１ｃｏｄｅ１で符号化されていない場合には透過するものである。波長λ２用のＦＢＧ型光復号器６２は、波長λ１用のＦＢＧ型光復号器６１からの光信号の波長がλ２であって、ＯＨＦノード７−１について定まっている符号λ２ｃｏｄｅ１で符号化されている場合には復号して波長λ１用のＦＢＧ型光復号器６１側に戻し、それ以外の場合には透過するものである。波長λ１用のＦＢＧ型光復号器６１及び波長λ２用のＦＢＧ型光復号器６２は、ＯＨＦノード７−１における波長λ１用のＦＢＧ型光符号器（図４の符号２３参照）及び波長λ２用のＦＢＧ型光符号器（図４の符号２４参照）に対応するものである。
【００６５】
図６に戻り、ＲＺ／ＮＲＺ変換部４１−ｎは、対応するデコーダ４０−ｎからの光信号（ＲＺ光信号）をＮＲＺ光信号に変換して対応するＯＬＴ５−ｎの受信部（Ｒｘ）に与えるものである。ＲＺ／ＮＲＺ変換部４１−ｎは、到来する光信号の波長がλ１であってもλ２であっても変換処理を実行できるものである。ここで、対応するＯＬＴ５−ｎへのＮＲＺ光信号の波長は問われないものである。ＲＺ／ＮＲＺ変換部４１−ｎは、全光学処理のものであっても良く、電気信号での処理を利用するものであっても良い。例えば、入力されたＲＺ光信号を電気信号に変換し、電気信号の段階でＮＲＺ信号に変換し、電気的なＮＲＺ信号を光信号に変換する際に、対応するＯＬＴ５−ｎへの波長を有するようにしても良い。
【００６６】
この実施形態の場合、ＯＬＴ５−１〜５−Ｎへの光信号がＮＲＺ信号であったが、ＯＬＴ５−１〜５−Ｎへの光信号がＲＺ信号であっても良く、ＲＺ信号である場合には、ＲＺ／ＮＲＺ変換部に代えて、信号形式を変換せずに波長だけを変換する波長変換部を適用することとなる。
【００６７】
（Ａ−１−５）信号変換器の詳細構成
図９は、ＯＮＵ９（９−１１〜９−ＮＭ）と対をなしている信号変換器１０（１０−１１〜１０−ＮＭ）の詳細構成を示すブロック図である。なお、この実施形態の場合、ＯＮＵ９と信号変換器１０とで新たなＯＮＵを構成していると見ることもできる。
【００６８】
信号変換器１０は、λ１パルス発生器７０、λ２パルス発生器７１、ＮＲＺ／ＲＺ変換部７２、サーキュレータ７３及びＲＺ／ＮＲＺ変換部７４を有する。
【００６９】
ＮＲＺ／ＲＺ変換部７２は、ＯＮＵ９の（の送信部（Ｔｘ））からのＮＲＺ光信号を、λ１パルス発生器７０又はλ２パルス発生器７１からの光パルスを適用してＲＺ光信号に変換するものである。
【００７０】
λ１パルス発生器７０及びλ２パルス発生器７１はそれぞれ、ＯＮＵ９の送信部（Ｔｘ）からの信号（電気信号でなる）に基づいて、波長λ１、λ２を有する光パルスを発生するものである。ＯＮＵ９は、ほぼ既存のＯＮＵの構成と同様なものであるが、さらに、送信波長の指示構成が追加されたものである。対応するＯＬＴからの制御信号の中には、送信波長を指示するものがあり、ＯＮＵ９は、そのような制御信号の受信時において、指示が波長λ１であればλ１パルス発生器７０から光パルスを発生させ、指示が波長λ２であればλ２パルス発生器７１から光パルスを発生させる。以上のように、λ１パルス発生器７０又はλ２パルス発生器７１が択一的に発生動作を行うため波長選択部は設けられていない。因みに、ルート制御部６からの信号は複数のアクセスネットワークへ与えられ、波長λ１の光信号を送信するアクセスネットワークもあれば波長λ２の光信号を送信するアクセスネットワークもあるため、波長λ１及びλ２を有する光パルスを同時に発生させ、送信先のアクセスネットワーク（従って、ＯＨＦノード）毎に、波長成分を選択させることとしている。
【００７１】
ＯＮＵ９は、上り光信号の送信動作に関係なく、ＯＬＴ５からの制御信号の受信時に、発生するλ１パルス発生器７０又はλ２パルス発生器７１を切り替えるようにしても良く、上り光信号の送信動作毎に、λ１パルス発生器７０及びλ２パルス発生器７１の一方に発生を指示するものであっても良い。
【００７２】
λ１パルス発生器７０及びλ２パルス発生器７１として、可変波長のパルス発生器を適用し、発生波長を切り替えるものであっても良い。
【００７３】
サーキュレータ７３は、ＮＲＺ／ＲＺ変換部７２からのＲＺ光信号をメトロネットワーク２側に与え、メトロネットワーク２側から到来した光信号（ＲＺ光信号）をＲＺ／ＮＲＺ変換部７４に与えるものである。
【００７４】
ＲＺ／ＮＲＺ変換部７４は、メトロネットワーク２側から到来した光信号（ＲＺ光信号）をＮＲＺ光信号に変換して対応するＯＮＵ９に与えるものである。ＲＺ／ＮＲＺ変換部７４は、到来する光信号の波長がλ１であってもλ２であっても変換処理を実行できるものである。
【００７５】
（Ａ−２）実施形態の動作
次に、実施形態の光ネットワーク１の動作を説明する。
【００７６】
（Ａ−２−１）光ネットワーク１全体の平常時の通信動作
まず、実施形態の光ネットワーク１全体の、障害が発生していない平常時の通信動作を、図１０を参照しながら説明する。
【００７７】
平常時においては、集中局４は、宛先が、どのアクセスネットワーク３−１〜３−Ｎに所属するＯＮＵであっても、波長λ１の下り光信号を送出する。後述する集中局４の内部動作のように、波長λ１の下り光信号はメトロネットワーク２に対して反時計回りに巡回するように送り出される。
【００７８】
後述するＯＨＦノード７の内部動作のように、ＯＨＦノード７−ｎは、自己に係るアクセスネットワーク３−ｎに所属するＯＮＵ９−ｎ１〜９−ｎＭへの波長λ１の下り光信号はドロップし（図１３参照）、他のアクセスネットワークに所属するＯＮＵへの波長λ１の下り光信号や、波長λ１の上り光信号は透過させる（図１４、図１５参照）。
【００７９】
集中局４内のＯＬＴ５−ｎは、平常時においては、制御信号によって、対応するアクセスネットワーク３−ｎ配下のＯＮＵ９−ｎ１〜９−ｎＭに対して、波長λ１で上り光信号を送出するように指示し、ＯＮＵ９−ｎ１〜９−ｎＭは、対応する信号変換器１０−ｎ１〜１０−ｎＭに対して波長λ１のパルス発生を指示する。これにより、信号変換器１０−ｎ１〜１０−ｎＭからは波長λ１の上り信号が送出される。
【００８０】
後述するＯＨＦノード７の内部動作のように、ＯＨＦノード７−ｎは、自己に係るアクセスネットワーク３−ｎからの波長λ１の上り光信号を、メトロネットワーク２内を反時計回りに巡回するようにアドする（図１２参照）。
【００８１】
（Ａ−２−２）ＯＨＦノードの動作
次に、ＯＨＦノード７−ｎの動作を８個のパターンについて説明する。
【００８２】
各動作パターンは、下り光信号の波長と上り光信号の波長を集中局４内で選定することで切り替えることができる。図１１は、８個の動作パターンの相違を整理して示す説明図である。図１１において、「入力光信号の波長」、「動作種類」、「通信方向」、「入力ポート」、「出力ポート」、「符号・復号」の面から、８個の動作パターンは区別することができる。
【００８３】
光信号の波長がλ１である第１〜第４の動作パターンは、平常時や、障害発生に伴う通信復旧時に係る動作パターンであるが、光信号の波長がλ２である第５〜第８の動作パターンは、障害発生に伴う通信復旧時に係る動作パターンであり、平常時において、第５〜第８の動作パターンの動作が実行されることはない。
【００８４】
（Ａ−２−２−１）ＯＨＦノードの第１の動作パターン
次に、ＯＨＦノード７−ｎの第１（図１１の１番目）の動作パターンにおける信号の流れを、図１２を参照しながら説明する。
【００８５】
対応するアクセスネットワーク３−ｎからの波長λ１の上り光信号は、ポートＰ３に入力され、サーキュレータ２１、２２、波長λ２用ＦＢＧ型光符号器２４を経由して、波長λ１用ＦＢＧ型光符号器２３に入力される。入力された光信号の波長がλ１であるので、入力された光信号は、波長λ１用ＦＢＧ型光符号器２３において、当該波長λ１用ＦＢＧ型光符号器２３に割り当てられている符号λ１ｃｏｄｅｎが適用されて反射されながら符号化される。符号化された上り光信号は、波長λ２用ＦＢＧ型光符号器２４、サーキュレータ２２を経由して、ルータ２８のポートＰＬ２に入力される。波長λ１の光信号がポートＰＬ２に入力されたので、ルータ２８はポートＰＲ２からその光信号を出力し、この光信号がポートＰ２を介してメトロネットワーク２にアドされる。
【００８６】
（Ａ−２−２−２）ＯＨＦノードの第２の動作パターン
次に、ＯＨＦノード７−ｎの第２（図１１の２番目）の動作パターンにおける信号の流れを、図１３を参照しながら説明する。
【００８７】
メトロネットワーク２内を反時計回りに巡回している波長λ１の下り光信号であって、ＯＨＦノード７−ｎ配下のアクセスネットワーク３−ｎ内のいずれかのＯＮＵ９−ｎ１〜９−ｎＭを宛先とする下り光信号は、ポートＰ１に入力され、ルータ２７のポートＰＬ２に入力される。波長λ１の光信号がポートＰＬ２に入力されたので、ルータ２７はポートＰＲ２からその光信号を出力し、この光信号がサーキュレータ２０、波長λ２用ＦＢＧ型光復号器２６を経由して、波長λ１用ＦＢＧ型光復号器２５に入力される。入力された光信号の波長がλ１であって、波長λ１用ＦＢＧ型光復号器２５に割り当てられている符号λ１ｃｏｄｅｎで符号化されているので、入力された光信号は、波長λ１用ＦＢＧ型光復号器２５において、符号λ１ｃｏｄｅｎが適用されて反射されながら復号される。復号された下り光信号は、波長λ２用ＦＢＧ型光復号器２６、サーキュレータ２０、２１を経由し、ポートＰ３からアクセスネットワーク３−ｎにドロップされる。
【００８８】
（Ａ−２−２−３）ＯＨＦノードの第３の動作パターン
次に、ＯＨＦノード７−ｎの第３（図１１の３番目）の動作パターンにおける信号の流れを、図１４を参照しながら説明する。
【００８９】
反時計回りの巡回方向で手前側のＯＨＦノードが既にメトロネットワーク２にアドした波長λ１の上り光信号が、当該ＯＨＦノード７−ｎに入力されることもある。このような上り光信号は、ポートＰ１に入力され、ルータ２７のポートＰＬ２に入力される。波長λ１の光信号がポートＰＬ２に入力されたので、ルータ２７はポートＰＲ２からその光信号を出力し、この光信号がサーキュレータ２０、波長λ２用ＦＢＧ型光復号器２６を経由して、波長λ１用ＦＢＧ型光復号器２５に入力される。入力された光信号は、波長λ１用ＦＢＧ型光復号器２５に割り当てられている符号λ１ｃｏｄｅｎで符号化されていないので、波長λ１用ＦＢＧ型光復号器２５を透過し、その後、光アイソレータ２９、波長λ１用ＦＢＧ型光符号器２３、波長λ２用ＦＢＧ型光符号器２４、サーキュレータ２２を経由して、ルータ２８のポートＰＬ２に入力される。波長λ１の光信号がポートＰＬ２に入力されたので、ルータ２８はポートＰＲ２からその光信号を出力し、この光信号がポートＰ２を介してメトロネットワーク２に送出される。
【００９０】
以上のように、第３の動作パターンでは、ポートＰ１に入力された上り光信号がそのままポートＰ２から出ていく。
【００９１】
（Ａ−２−２−４）ＯＨＦノードの第４の動作パターン
次に、ＯＨＦノード７−ｎの第４（図１１の４番目）の動作パターンにおける信号の流れを、図１５を参照しながら説明する。
【００９２】
メトロネットワーク２内を反時計回りに巡回している波長λ１の下り光信号であって、ＯＨＦノード７−ｎより巡回方向で先に位置しているＯＨＦノード配下のアクセスネットワーク内のいずれかのＯＮＵを宛先とする下り光信号も、ポートＰ１に入力され、ルータ２７のポートＰＬ２に入力される。波長λ１の光信号がポートＰＬ２に入力されたので、ルータ２７はポートＰＲ２からその光信号を出力し、この光信号がサーキュレータ２０、波長λ２用ＦＢＧ型光復号器２６を経由して、波長λ１用ＦＢＧ型光復号器２５に入力される。入力された光信号は、波長λ１用ＦＢＧ型光復号器２５に割り当てられている符号λ１ｃｏｄｅｎで符号化されていないので、波長λ１用ＦＢＧ型光復号器２５を透過し、その後、光アイソレータ２９、波長λ１用ＦＢＧ型光符号器２３、波長λ２用ＦＢＧ型光符号器２４、サーキュレータ２２を経由して、ルータ２８のポートＰＬ２に入力される。波長λ１の光信号がポートＰＬ２に入力されたので、ルータ２８はポートＰＲ２からその光信号を出力し、この光信号がポートＰ２を介してメトロネットワーク２に送出される。
【００９３】
以上のように、第４の動作パターンでは、ポートＰ１に入力された下り光信号がそのままポートＰ２から出ていく。
【００９４】
第３の動作パターンと第４の動作パターンとは、入力された光信号が、当該ＯＨＦノード７−ｎより巡回方向で手前のＯＨＦノードがアドした上り光信号であるか、当該ＯＨＦノード７−ｎより巡回方向で先のＯＨＦノードがドロップすべき下り光信号であるかの相違はあるが、当該ＯＨＦノード７−ｎが入力された光信号をそのまま透過させる点は、同様である。
【００９５】
（Ａ−２−２−５）ＯＨＦノードの第５の動作パターン
次に、ＯＨＦノード７−ｎの第５（図１１の５番目）の動作パターンにおける信号の流れを、図１６を参照しながら説明する。
【００９６】
対応するアクセスネットワーク３−ｎからの波長λ２の上り光信号は、ポートＰ３に入力され、サーキュレータ２１、２２を経由して、波長λ２用ＦＢＧ型光符号器２４に入力される。入力された光信号の波長がλ２であるので、入力された光信号は、波長λ２用ＦＢＧ型光符号器２４において、当該波長λ２用ＦＢＧ型光符号器２４に割り当てられている符号λ２ｃｏｄｅｎが適用されて反射されながら符号化される。符号化された上り光信号は、サーキュレータ２２を経由して、ルータ２８のポートＰＬ２に入力される。波長λ２の光信号がポートＰＬ２に入力されたので、ルータ２８はポートＰＲ１からその光信号を出力し、これにより、ルータ２７のポートＰＲ１に入力される。波長λ２の光信号がポートＰＲ１に入力されたので、ルータ２７はポートＰＬ２からその光信号を出力し、この光信号がポートＰ１を介してメトロネットワーク２にアドされる。
【００９７】
（Ａ−２−２−６）ＯＨＦノードの第６の動作パターン
次に、ＯＨＦノード７−ｎの第６（図１１の６番目）の動作パターンにおける信号の流れを、図１７を参照しながら説明する。
【００９８】
メトロネットワーク２内を時計回りに巡回している波長λ２の下り光信号であって、ＯＨＦノード７−ｎ配下のアクセスネットワーク３−ｎ内のいずれかのＯＮＵ９−ｎ１〜９−ｎＭを宛先とする下り光信号は、ポートＰ２に入力され、ルータ２８のポートＰＲ２に入力される。波長λ２の光信号がポートＰＲ２に入力されたので、ルータ２８はポートＰＬ１Ｌからその光信号を出力し、これにより、ルータ２７のポートＰＬ１に入力される。波長λ２の光信号がポートＰＬ１に入力されたので、ルータ２７はポートＰＲ２からその光信号を出力し、この光信号がサーキュレータ２０を経由して、波長λ２用ＦＢＧ型光復号器２６に入力される。入力された光信号の波長がλ２であって、波長λ２用ＦＢＧ型光復号器２６に割り当てられている符号λ２ｃｏｄｅｎで符号化されているので、入力された光信号は、波長λ２用ＦＢＧ型光復号器２６において、符号λ２ｃｏｄｅｎが適用されて反射されながら復号される。復号された下り光信号は、サーキュレータ２０、２１を経由し、ポートＰ３からアクセスネットワーク３−ｎにドロップされる。
【００９９】
（Ａ−２−２−７）ＯＨＦノードの第７の動作パターン
次に、ＯＨＦノード７−ｎの第７（図１１の７番目）の動作パターンにおける信号の流れを、図１８を参照しながら説明する。
【０１００】
時計回りの巡回方向で手前側のＯＨＦノードが既にメトロネットワーク２にアドした波長λ２の上り光信号が、当該ＯＨＦノード７−ｎに入力されることもある。このような上り光信号は、ポートＰ２に入力され、ルータ２８のポートＰＲ２に入力される。波長λ２の光信号がポートＰＲ２に入力されたので、ルータ２８はポートＰ１Ｌからその光信号を出力し、これにより、ルータ２７のポートＰＬ１に入力される。波長λ２の光信号がポートＰＬ１に入力されたので、ルータ２７はポートＰＲ２からその光信号を出力する。この光信号は、他のＯＨＦノードで符号化された信号であるので、サーキュレータ２０、波長λ２用ＦＢＧ型光復号器２６、波長λ１用ＦＢＧ型光復号器２５、光アイソレータ２９、波長λ１用ＦＢＧ型光符号器２３、波長λ２用ＦＢＧ型光符号器２４、サーキュレータ２２を経由して、ルータ２８のポートＰＬ２に入力される。波長λ２の光信号がポートＰＬ２に入力されたので、ルータ２８はポートＰＲ１からその光信号を出力し、これにより、ルータ２７のポートＰＲ１に入力される。波長λ２の光信号がポートＰＲ１に入力されたので、ルータ２７はポートＰＬ２からその光信号を出力し、この光信号がポートＰ１を介してメトロネットワーク２に送出される。
【０１０１】
以上のように、第７の動作パターンでは、ポートＰ２に入力された上り光信号がそのままポートＰ１から出ていく。
【０１０２】
（Ａ−２−２−８）ＯＨＦノードの第８の動作パターン
次に、ＯＨＦノード７−ｎの第８（図１１の８番目）の動作パターンにおける信号の流れを、図１９を参照しながら説明する。
【０１０３】
メトロネットワーク２内を時計回りに巡回している波長λ２の下り光信号であって、ＯＨＦノード７−ｎより巡回方向で先に位置しているＯＨＦノード配下のアクセスネットワーク内のいずれかのＯＮＵを宛先とする下り光信号も、ポートＰ２に入力され、ルータ２８のポートＰＲ２に入力される。波長λ２の光信号がポートＰＲ２に入力されたので、ルータ２８はポートＰ１Ｌからその光信号を出力し、これにより、ルータ２７のポートＰＬ１に入力される。波長λ２の光信号がポートＰＬ１に入力されたので、ルータ２７はポートＰＲ２からその光信号を出力する。この光信号は、先のＯＨＦノードに向けた信号であるので、サーキュレータ２０、波長λ２用ＦＢＧ型光復号器２６、波長λ１用ＦＢＧ型光復号器２５、光アイソレータ２９、波長λ１用ＦＢＧ型光符号器２３、波長λ２用ＦＢＧ型光符号器２４、サーキュレータ２２を経由して、ルータ２８のポートＰＬ２に入力される。波長λ２の光信号がポートＰＬ２に入力されたので、ルータ２８はポートＰＲ１からその光信号を出力し、これにより、ルータ２７のポートＰＲ１に入力される。波長λ２の光信号がポートＰＲ１に入力されたので、ルータ２７はポートＰＬ２からその光信号を出力し、この光信号がポートＰ１を介してメトロネットワーク２に送出される。
【０１０４】
以上のように、第８の動作パターンでは、ポートＰ２に入力された下り光信号がそのままポートＰ１から出ていく。
【０１０５】
第７の動作パターンと第８の動作パターンとは、入力された光信号が、当該ＯＨＦノード７−ｎより巡回方向で手前のＯＨＦノードがアドした上り光信号であるか、当該ＯＨＦノード７−ｎより巡回方向で先のＯＨＦノードがドロップすべき下り光信号であるかの相違はあるが、当該ＯＨＦノード７−ｎが入力された光信号をそのまま透過させる点は、同様である。
【０１０６】
（Ａ−２−３）集中局の動作
次に、集中局４の動作を、図２０を参照しながら説明する。図２０は、主として、ＯＬＴ５−１が通信する際のルート制御部６内の光信号の流れを示している。以下では、ＯＬＴ５−１が通信するとして、集中局４の動作を説明するが、他のＯＬＴが通信する場合でも同様な動作が実行される。
【０１０７】
（Ａ−２−３−１）集中局における下り方向の処理
ネットワーク状態管理部３０が、現在のネットワーク状態がメトロネットワーク２などに障害が発生していない状態であると判断しているときに、ＯＬＴ５−１が下り光信号の送信要求があると、ネットワーク状態管理部３０は、波長選択部３３−１に対して波長λ１を指示する波長選択制御信号を与える。波長選択部３３−１は、これに応じて、λ１パルス発生器３１が発生した波長λ１の光パルスをＮＲＺ／ＲＺ変換部３４−１に与える。
【０１０８】
ＮＲＺ／ＲＺ変換部３４−１は、対応するＯＬＴ５−１（の送信部（Ｔｘ））からのＮＲＺ光信号（下り光信号）を、対応する波長選択部３３−１で選択された波長λ１を有するＲＺ光信号に変換してエンコーダ３５−１に与え、エンコーダ３５−１は、入力された光信号を自己に割り当てられている波長λ１に係る符号λ１ｃｏｄｅ１を用いて符号化する。符号化された波長λ１の光信号は波長合分波器３６に与えられ、その波長λ１用のポートから出力され、サーキュレータ３７を介して、メトロネットワーク２に対して反時計回り方向に導入される。
【０１０９】
エンコーダ３５−１において、波長λ１の光信号が入力ポートに到来したときには（なお、波長λ２の光信号が入力ポートに到来したときの動作は図２１に図示されているので、参照になる）、サーキュレータ５０、波長λ２用ＦＢＧ型光符号器５１を経由して、波長λ１用ＦＢＧ型光符号器５２に与えられ、波長λ１用ＦＢＧ型光符号器５２において、波長λ１用ＦＢＧ型光符号器５２に割り当てられている符号λ１ｃｏｄｅ１が適用されて反射されながら符号化される。符号化された波長λ１の光信号は、波長λ２用ＦＢＧ型光符号器５１、サーキュレータ５０を経由して、出力ポートから送出される。
【０１１０】
一方、ネットワーク状態管理部３０が、ＯＬＴ５−１からの下り光信号の送信要求があったときに、現在のネットワーク状態が平常ではなく、メトロネットワーク２を時計回りに巡回するようにＯＬＴ５−１からの下り光信号を送出すべきと判断した場合には、ネットワーク状態管理部３０は、波長選択部３３−１に対して波長λ２を指示する波長選択制御信号を与える。波長選択部３３−１は、これに応じて、λ２パルス発生器３２が発生した波長λ２の光パルスをＮＲＺ／ＲＺ変換部３４−１に与える。
【０１１１】
ＮＲＺ／ＲＺ変換部３４−１は、対応するＯＬＴ５−１（の送信部（Ｔｘ））からのＮＲＺ光信号（下り光信号）を、対応する波長選択部３３−１で選択された波長λ２を有するＲＺ光信号に変換してエンコーダ３５−１に与え、エンコーダ３５−１は、入力された光信号を自己に割り当てられている波長λ２に係る符号λ２ｃｏｄｅ１を用いて符号化する。符号化された波長λ２の光信号は波長合分波器３６に与えられ、その波長λ２用のポートから出力され、サーキュレータ３７を介して、メトロネットワーク２に対して時計回り方向に導入される。
【０１１２】
エンコーダ３５−１において、波長λ２の光信号が入力ポートに到来したときには、図２１に示すように、サーキュレータ５０を経由して、波長λ２用ＦＢＧ型光符号器５１に与えられ、波長λ２用ＦＢＧ型光符号器５１において、波長λ２用ＦＢＧ型光符号器５１に割り当てられている符号λ２ｃｏｄｅ１が適用されて反射されながら符号化される。符号化された波長λ２の光信号は、サーキュレータ５０を経由して、出力ポートから送出される。
【０１１３】
（Ａ−２−３−２）集中局における上り方向の処理
波長λ１の上り光信号は、メトロネットワーク２を反時計回りに巡回した光信号が入力されるポートに入力される。仮に、メトロネットワーク２に障害が発生し、リングネットワークになっていない場合でも、リングネットワークになっていたときと同様なポートに入力される。
【０１１４】
ＯＬＴ５−１宛の波長λ１の上り光信号は、メトロネットワーク２からサーキュレータ３８に入力され、さらに、波長λ１の上り光信号と波長λ２の上り光信号とを合波する光カプラ３９を経由して、デコーダ４０−１に与えられる。デコーダ４０−１は、入力された光信号を自己に割り当てられている波長λ１に係る符号λ１ｃｏｄｅ１を用いて復号する。復号された波長λ１の光信号（ＲＺ光信号）は、ＲＺ／ＮＲＺ変換部４１−１に与えられ、ＲＺ／ＮＲＺ変換部４１−１においてＮＲＺ光信号に変換された後、ＯＬＴ５−１（の受信部（Ｒｘ））に与えられる。
【０１１５】
デコーダ４０−１において、波長λ１の光信号が入力ポートに到来したときには（なお、波長λ２の光信号が入力ポートに到来したときの動作は図２２に図示されているので、参照になる）、サーキュレータ６０を経由して、波長λ１用ＦＢＧ型光復号器６１に与えられ、波長λ１用ＦＢＧ型光復号器６１において、波長λ１用ＦＢＧ型光復号器６１に割り当てられている符号λ１ｃｏｄｅ１が適用されて反射されながら復号される。復号された波長λ１の光信号は、サーキュレータ６０を経由して、出力ポートから送出される。
【０１１６】
また、ＯＬＴ５−１宛の波長λ２の上り光信号は、メトロネットワーク２からサーキュレータ３８に入力され、さらに、波長λ１の上り光信号と波長λ２の上り光信号とを合波する光カプラ３９を経由して、デコーダ４０−１に与えられる。デコーダ４０−１は、入力された光信号を自己に割り当てられている波長λ２に係る符号λ２ｃｏｄｅ１を用いて復号する。復号された波長λ２の光信号（ＲＺ光信号）は、ＲＺ／ＮＲＺ変換部４１−１に与えられ、ＲＺ／ＮＲＺ変換部４１−１においてＮＲＺ光信号に変換された後、ＯＬＴ５−１（の受信部（Ｒｘ））に与えられる。
【０１１７】
デコーダ４０−１において、波長λ２の光信号が入力ポートに到来したときには、図２２に示すように、サーキュレータ６０、波長λ１用ＦＢＧ型光復号器６１を経由して、波長λ２用ＦＢＧ型光復号器６２に与えられ、波長λ２用ＦＢＧ型光復号器６２において、波長λ２用ＦＢＧ型光復号器６２に割り当てられている符号λ２ｃｏｄｅ１が適用されて反射されながら復号される。復号された波長λ２の光信号は、波長λ１用ＦＢＧ型光復号器６１、サーキュレータ６０を経由して、出力ポートから送出される。
【０１１８】
（Ａ−２−４）ＯＮＵ及び信号変換器の動作
次に、ＯＮＵ９及び信号変換器１０の対の動作を、図２３を参照しながら説明する。
【０１１９】
同一のアクセスネットワーク３の要素であるＯＨＦノード７でドロップされた下り光信号（ＲＺ光信号）は、信号変換器１０のサーキュレータ７３を介してＲＺ／ＮＲＺ変換部７４に与えられ、ＲＺ／ＮＲＺ変換部７４においてＮＲＺ光信号に変換された後、ＯＮＵ９（の受信部（Ｒｘ））に与えられる。
【０１２０】
ＯＮＵ９（の送信部（Ｒｘ））は、対応するＯＬＴ５からの指示に応じて、λ１パルス発生器７０又はλ２パルス発生器７１の一方にパルス発生を指示しておく。
【０１２１】
ＯＮＵ９（の送信部（Ｒｘ））から送出された上り光信号（ＮＲＺ信号）は、ＮＲＺ／ＲＺ変換部７２に与えられ、ＮＲＺ／ＲＺ変換部７２において、λ１パルス発生器７０又はλ２パルス発生器７１からの光パルスが適用されてＲＺ光信号に変換され、変換後の上り光信号がサーキュレータ７３を経由して、同一のアクセスネットワーク３の要素であるＯＨＦノード７に向けて送出される。
【０１２２】
（Ａ−２−５）隣接ＯＨＦノード間の障害発生時の通信復旧動作
次に、隣接するＯＨＦノード（この項の説明ではＯＨＦノード７−ｉ及び７−（ｉ＋１）とする）の間で障害が発生した場合の通信復旧動作を、図２４を参照しながら説明する。
【０１２３】
上述したように、平常時においては、ＯＬＴ５からＯＮＵ９への下り光信号も、ＯＮＵ９からＯＬＴ５への上り光信号も、メトロネットワーク２を反時計回りに巡回するように転送されていく。
【０１２４】
このような平常状態から、ＯＨＦノード７−ｉ及び７−（ｉ＋１）の間で障害が発生した状態に変化すると、ＯＨＦノード７−１〜７−ｉに接続されているＯＮＵからの上り光信号は、ＯＬＴ５−１〜５−ｉに到達することができず、ＯＨＦノード７−（ｉ＋１）〜７−Ｎに接続されているＯＮＵへの下り光信号はＯＮＵに到達することができない。
【０１２５】
ネットワーク状態管理部３０は、各ＯＬＴ５−１〜５−Ｎからのネットワーク状態情報を収集することにより、いずれかの隣接ＯＨＦノード間に障害が発生したことを認識する。各ＯＬＴ５−１〜５−Ｎは、下り光信号に応じて送信された上り光信号が到達するか否かをモニタし、到達しないときにはそのことをネットワーク状態管理部３０に通知する。ＯＮＵが故障しても上り光信号が到達しないことはあるが、この場合は、１つのＯＬＴだけが不達を通知するので、ネットワーク状態管理部３０は、隣接ＯＨＦノード間の障害発生と区別することができる。
【０１２６】
以下、通信復旧動作を具体的に説明する。ネットワーク状態管理部３０は、全てのＯＬＴ５−１〜５−Ｎに対して、ＯＬＴからの下り信号に、配下のＯＮＵの上り光信号の波長をλ２に切り替える命令信号を含ませるようにさせる。このときも、全ての波長選択部３３−１〜３３−Ｎが、波長λ１の光パルスを選択する状態を維持させる。すなわち、波長λ２へ切り替える命令を含む、全てのＯＬＴ５−１〜５−Ｎからの下り光信号は、メトロネットワーク２を反時計回りに巡回するように送出される。
【０１２７】
しかし、この下り光信号が到達するＯＮＵは、ＯＨＦノード７−１〜７−ｉ配下のＯＮＵだけであり、これらＯＮＵは、対をなしている信号変換器に対して波長λ２の光パルスに切り替える。その結果、ＯＨＦノード７−１〜７−ｉ配下のＯＮＵからの上り光信号は、メトロネットワーク２を時計回りに巡回して対応するＯＬＴ５−１〜５−ｉに到達する。
【０１２８】
この時点では、ＯＨＦノード７−１〜７−ｉ配下のＯＮＵは、下り光信号を受信でき、自己からの上り光信号が対応するＯＬＴ５−１〜５−ｉに到達するので、通信が復旧したということになる。
【０１２９】
ネットワーク状態管理部３０は、上り光信号を受信できたＯＬＴ５−１〜５−ｉなどに基づいて、ＯＨＦノード７−ｉ及び７−（ｉ＋１）の間に障害が発生したと認識する。
【０１３０】
そこで、通信が復旧していないＯＨＦノード７−（ｉ＋１）〜７−Ｎ配下のＯＮＵについては、ネットワーク状態管理部３０は、波長λ２の下り光信号を、メトロネットワーク２に対して、時計回りに巡回するように導入する。このときの波長λ２の下り光信号には、上り送信波長をλ１に切り替える命令信号を含ませる。上述したように、直前の下り光信号には、上り送信波長をλ２に切り替える命令信号が含まれているが、今回の下り光信号の送信先のＯＮＵは、上り送信波長をλ２に切り替える命令信号を受信できておらず、上り送信波長はλ１のままとなっている。そのため、今回の下り光信号が、上り送信波長をλ１に切り替える命令信号が含まれていても、その受信時には送信波長λ１が維持される。
【０１３１】
ＯＨＦノード７−（ｉ＋１）〜７−Ｎ配下のＯＮＵからの上り光信号の波長は、上記命令信号に基づいて波長λ１となり、メトロネットワーク２に対して、反時計回りになるようにアドされる。
【０１３２】
この時点で、ＯＨＦノード７−（ｉ＋１）〜７−Ｎ配下のＯＮＵは、下り光信号を受信でき、自己からの上り光信号が対応するＯＬＴ５−（ｉ＋１）〜５−Ｎに到達するので、通信が復旧したということになる。
【０１３３】
以上のように、隣接するＯＨＦノード７−ｉ及び７−（ｉ＋１）の間で障害が発生した場合には、ＯＨＦノード７−１〜７−Ｎの接続形態を、リング接続からカスケード接続に切り替えるように、下り光信号及び上り光信号の波長を選定することにより、全てのＯＨＦノード７−１〜７−Ｎ配下のＯＮＵが通信できる状態に復旧させることができる。
【０１３４】
上記で、任意の整数であるパラメータ「ｉ」を用いて説明したように、障害発生箇所が、メトロネットワーク（リングネットワーク）２のどの箇所であっても、通信を復旧させることができる。
【０１３５】
ここで、上り送信波長を切り替える命令信号を含む下り光信号は、その下り光信号をドロップするＯＨＦノード７−ｎ配下の全てのＯＮＵを宛先とするものであっても良く、ＯＨＦノード７−ｎ配下のＯＮＵ毎の下り光信号で、上り送信波長を切り替える命令信号を与えるようにしても良い。
【０１３６】
（Ａ−２−６）ルート制御部のλ１パルス発生器の故障時の通信復旧動作
次に、ルート制御部６のλ１パルス発生器３１に故障が生じたときの通信復旧動作を、図２５を参照しながら説明する。
【０１３７】
上述したように、平常時においては、ＯＬＴ５からＯＮＵ９への下り光信号が、メトロネットワーク２を反時計回りに巡回するように転送されていく。このようにすべく、ルート制御部６内の全ての波長選択部３３−１〜３３−Ｎが、λ１パルス発生器３１が発生した波長λ１の光パルスを選択する。しかし、λ１パルス発生器３１に故障が生じたときには、下り光信号の波長をλ１にすることができず、メトロネットワーク２に正常な下り光信号を送出することができない。
【０１３８】
そこで、ネットワーク状態管理部３０は、全ての波長選択部３３−１〜３３−Ｎが、λ２パルス発生器３２が発生した波長λ２の光パルスを選択するように切り替えて、正常な波長がλ２の下り光信号を、時計回りに巡回するようにメトロネットワーク２に導入させる。
【０１３９】
また、ネットワーク状態管理部３０は、ＯＬＴ５−１〜５−Ｎに対し、下り信号に、上り送信波長をλ２に切り替える命令信号を盛り込むことを指示する。これにより、ＯＮＵ側からの上り光信号の波長もλ２に切り替わり、波長がλ２の上り光信号を、時計回りに巡回するようにメトロネットワーク２にアドされ、集中局４に到達する。
【０１４０】
すなわち、ネットワーク状態管理部３０の制御を通じて、時計回りのリングネットワーク構成に切り替わり、全ての通信が復旧する。
【０１４１】
なお、図６では省略しているが、例えば、λ１パルス発生器３１からの光パルスをモニタするモニタ部を設け、そのモニタ出力をネットワーク状態管理部３０に与えてネットワーク状態管理部３０がλ１パルス発生器３１の故障発生を検出する。
【０１４２】
（Ａ−３）実施形態の効果
実施形態のＯＨＦノードは、リング接続及びカスケード接続に容易に対応できる簡単かつ低消費電力のノードである。
【０１４３】
実施形態のＯＨＦノードは、３ポート構成であり、そのうちの２ポートをメトロネットワーク２に接続させる構成であるので、メトロネットワーク２への増廃設が容易である。また、集中局４のルート制御部６内において、ＯＬＴ単位に設けられる波長選択部３３−ｎ、ＮＲＺ／ＲＺ変換部３４−ｎ、エンコーダ３５−ｎ、デコーダ４０−ｎ及びＲＺ／ＮＲＺ変換部４１−ｎを全て搭載したユニットを準備しておくことで、増廃設を容易に行うことができる。
【０１４４】
実施形態の光ネットワークは、そのような実施形態のＯＨＦノードをリング状に接続したものであるので、ネットワーク全体としても、低消費電力を達成することができる。
【０１４５】
また、リング接続及びカスケード接続に容易に対応できる実施形態のＯＨＦノードを複数、リング状に接続して光ネットワークを構成し、各ＯＨＦノードをカスケード接続に適宜切り替えられるようにしたので、障害発生時に容易にルートを切り替えて通信を復旧させることができる。
【０１４６】
（Ｂ）他の実施形態
上記実施形態の説明においても、種々変形実施形態に言及したが、さらに、以下に例示するような変形実施形態を挙げることができる。
【０１４７】
上記実施形態では、平常時は、全てのＯＨＦノード７−１〜７−Ｎがリング接続の動作を行うものを示したが、平常時に、全てのＯＨＦノード７−１〜７−Ｎがカスケード接続の動作を行うものであっても良い。図２６は、このような変形実施形態の光ネットワークの説明図である。
【０１４８】
平常時、ＯＨＦノード７−１〜７−ｉ配下のＯＮＵについて、下り光信号の波長にλ１を、上り光信号の波長にλ２を適用すると共に、ＯＨＦノード７−（ｉ＋１）〜７−Ｎ配下のＯＮＵについて、下り光信号の波長にλ２を、上り光信号の波長にλ１を適用する。言い換えると、ＯＨＦノード７−１〜７−ｉ配下のＯＮＵとの通信のため、下り光信号はメトロネットワーク２を反時計回りに巡回し、上り光信号はメトロネットワーク２を時計回りに巡回し、他方、ＯＨＦノード７−（ｉ＋１）〜７−Ｎ配下のＯＮＵとの通信のため、下り光信号はメトロネットワーク２を時計回りに巡回し、上り光信号はメトロネットワーク２を反時計回りに巡回する。
【０１４９】
以上のような変形実施形態によれば、メトロネットワーク２などの使用状況に応じて、上り光信号及び下り光信号の波長が異なっているメトロネットワーク２上の境界位置（ＯＨＦノード７−ｉ及びＯＨＦノード７−（ｉ＋１）の間）を、平常時においても変更することができる。例えば、波長λ１の下り光信号及び波長λ２の上り光信号を用いて通信を行っているＯＮＵが多く、一方、波長λ２の下り光信号及び波長λ１の上り光信号を用いて通信を行っているＯＮＵが少ないならば、境界位置を、反時計回りに進め、波長λ１の下り光信号及び波長λ２の上り光信号を用いて通信を行っているＯＮＵを減らし、一方、波長λ２の下り光信号及び波長λ１の上り光信号を用いて通信を行っているＯＮＵを増やして、帯域のバランスをとるようにしても良い。
【０１５０】
上述した変形実施形態の光ネットワークにおいても、メトロネットワーク２に障害が発生した場合の通信復旧動作は、上記実施形態の場合と同様である。
【０１５１】
上述した通信復旧動作は、全てのＯＨＦノード７−１〜７−Ｎがカスケード接続の動作を行うように切り替えるものであったが、上述した変形実施形態は、平常時においても、全てのＯＨＦノード７−１〜７−Ｎがカスケード接続の動作を行うので、実際に、切り替えを実行するＯＨＦノード７−１〜７−Ｎの数を抑えることができる。このことは、障害が発生しても、障害発生に拘らず通信を継続できるＯＮＵが多くなっていることを意味する。
【０１５２】
上記実施形態では、平常時において上り光信号と下り光信号の巡回方向が同じものを示したが、平常時において、上り光信号と下り光信号の巡回方向が逆であっても良い。例えば、上り光信号は反時計回りに伝搬し、下り光信号は時計回りに伝搬するものであっても良い。但し、隣り合うＯＨＦノード間に障害が発生したときには、上記実施形態と同様に、最終的に図２４に示す状態を形成させるようにする。
【０１５３】
上記実施形態では、アクセスネットワーク３−ｎ及びＯＬＴ５−ｎとが１対１であるものを示したが、通信に供するアクセスネットワーク３−ｎ及びＯＬＴ５−ｎの対をダイナミックに切り替えられるものであっても良い。例えば、ルート制御部６と、ＯＬＴ５−１〜５−Ｎの一群との間に、Ｎ×Ｎの光クロススイッチを設け、ＯＬＴ５−１〜５−Ｎ側からの通信相手信号に応じ、ルート制御部６のネットワーク状態管理部３０が光クロススイッチを切り替えるようにして、アクセスネットワーク及びＯＬＴの対をダイナミックに切り替えられるようにしても良い。
【０１５４】
上記実施形態では、平常時において、ＯＮＵへの下り光信号の波長（中心波長）が同じものを示したが、アクセスネットワーク３−１〜３−Ｎによって下り光信号の波長（中心波長）が異なっていても良い。但し、反時計回りの波長と時計回りの波長とが、弁別できるようになされていることを要する。例えば、アクセスネットワーク３−１〜３−Ｎへの反時計回りの下り光信号に係るＮ個の波長λ１−１〜λ１−Ｎのグループと、アクセスネットワーク３−１〜３−Ｎへの時計回りの下り光信号に係るＮ個の波長λ２−１〜λ２−Ｎのグループとの波長帯がオーバーラップしていないことが好ましい。
【０１５５】
同様に、アクセスネットワーク３−１〜３−Ｎ（従って、ＯＮＵ）によって、上り光信号の波長（中心波長）が異なっていても良い。ここで、アクセスネットワーク３−ｎへの反時計回りの下り光信号とアクセスネットワーク３−ｎからの反時計回りの上り光信号の波長λ１−ｉが等しく、アクセスネットワーク３−ｎへの時計回りの下り光信号とアクセスネットワーク３−ｎからの時計回りの上り光信号の波長λ２−ｉが等しいことが好ましい。
【０１５６】
上記実施形態では、ＯＨＦノード７−１〜７−Ｎに収容されているものがアクセスネットワーク３−１〜３−Ｎであるものを示したが、ＯＨＦノード７−１〜７−Ｎの一部又は全てが、１個のＯＮＵだけ（アクセスネットワークになっていない）を収容するものであっても良い。
【０１５７】
ネットワーク状態管理部３０が隣接するＯＨＦノード間の障害発生を認識する方法は、上記実施形態の方法に限定されるものではない。例えば、ネットワーク状態管理部３０が、ＯＮＵから監視用の上り光信号を送出させるように制御し、障害有無を監視するようにしても良い。
【０１５８】
隣り合うＯＨＦノード間に障害が発生したときに、通信を復旧させる処理の流れは、上述した実施形態の流れに限定されない。要は、図２４に示す状態に最終的にできる、通信を復旧させる処理の流れであれば良い。例えば、ＯＨＦノード７−１〜７−ｉのカスケード接続への変化より先に、ＯＨＦノード７−（ｉ＋１）〜７−Ｎのカスケード接続への変化を実行するものであっても良い。
【０１５９】
上記実施形態では、通信に供する通信装置がＯＬＴ及びＯＮＵであるものを示したが、通信装置は、これに限定されるものではない。
【符号の説明】
【０１６０】
１…光ネットワーク、２…メトロネットワーク、３−１〜３−Ｎ…アクセスネットワーク、４…集中局、５−１〜５−Ｎ…ＯＬＴ、６…ルート制御部、７、７−１〜７−Ｎ…ＯＨＦノード、８−１〜８−Ｎ…光カプラ、９−１１〜９−ＮＬ…ＯＮＵ、１０−１１〜１０−ＮＬ…信号変換器、
２０〜２２…サーキュレータ、２３…波長λ１用ＦＢＧ型光符号器、２４…波長λ２用ＦＢＧ型光符号器、２５…波長λ１用ＦＢＧ型光復号器、２６…波長λ２用ＦＢＧ型光復号器、２７、２８…ルータ、２９…光アイソレータ、
３０…ネットワーク状態管理部、３１…λ１パルス発生器、３２…λ２パルス発生器、３３−１〜３３−Ｎ…波長選択部、３４−１〜３４−Ｎ…ＮＲＺ／ＲＺ変換部、３５−１〜３５−Ｎ…エンコーダ、３６…波長合分波器、３７、３８…サーキュレータ、３９…光カプラ、４０−１〜４０−Ｎ…デコーダ、４１−１〜４１−Ｎ…ＲＺ／ＮＲＺ変換部、５０…サーキュレータ、５１…波長λ２用ＦＢＧ型光符号器、５２…波長λ１用ＦＢＧ型光符号器、６０…サーキュレータ、６１…波長λ１用ＦＢＧ型光復号器、６２…波長λ２用ＦＢＧ型光復号器、
７０…λ１パルス発生器、７１…λ２パルス発生器、７２…ＮＲＺ／ＲＺ変換部、７３…サーキュレータ、７４…ＲＺ／ＮＲＺ変換部。
【要約】
【課題】  リング接続及びカスケード接続に容易に対応できる簡単かつ低消費電力のノードを提供する。
【解決手段】  波長λ１の光信号は、リング状伝送路を反時計回りに伝搬してきてノードに入力され、波長λ２の光信号は、リング状伝送路を時計回りに伝搬してきてノードに入力され、当該ノードはドロップ又は透過させる。当該ノードは、波長λ１の光信号を反時計回りに伝搬するようにアドし、波長λ２の光信号を時計回りに伝搬するようにアドする。このような経路操作を実行できるように、ノードは、ＦＢＧ光符号器、ＦＢＧ光復号器、波長と入力ポートとにより内部での経路が変換するルータ、サーキュレータ、光アイソレータなどの光受動部品で構成されている。
【選択図】      図４【図１】
0005387744.tif 000002
【図２】
0005387744.tif 000003
【図３】
0005387744.tif 000004
【図４】
0005387744.tif 000005
【図５】
0005387744.tif 000006
【図６】
0005387744.tif 000007
【図７】
0005387744.tif 000008
【図８】
0005387744.tif 000009
【図９】
0005387744.tif 000010
【図１０】
0005387744.tif 000011
【図１１】
0005387744.tif 000012
【図１２】
0005387744.tif 000013
【図１３】
0005387744.tif 000014
【図１４】
0005387744.tif 000015
【図１５】
0005387744.tif 000016
【図１６】
0005387744.tif 000017
【図１７】
0005387744.tif 000018
【図１８】
0005387744.tif 000019
【図１９】
0005387744.tif 000020
【図２０】
0005387744.tif 000021
【図２１】
0005387744.tif 000022
【図２２】
0005387744.tif 000023
【図２３】
0005387744.tif 000024
【図２４】
0005387744.tif 000025
【図２５】
0005387744.tif 000026
【図２６】
0005387744.tif 000027